【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】情報処理装置及びその制御方法並びにプログラム
【手続補正２】
【補正対象書類名】明細書
【補正対象項目名】特許請求の範囲
【補正方法】変更
【補正の内容】
【特許請求の範囲】
【請求項１】
画面のデザインを定義するための画面情報を受信する画面情報受信手段と、
前記画面情報に基づき、画面を表示するように制御する画面表示制御手段と、
外部装置からネットワーク経由で第１のリストデータを受信する第１のリスト受信手段と、
第２のリストデータを取得する第２のリスト取得手段、前記第１のリストデータと前記第２のリストデータとに基づき第３のリストデータを作成する第３のリスト作成手段、及び、前記第３のリストデータに基づいて定義された画面情報を作成する画面情報作成手段を実現するための機能拡張プログラムを記憶する記憶手段と
を備えることを特徴とする情報処理装置。
【請求項２】
前記機能拡張プログラムが、
前記第１のリストデータと前記第２のリストデータとの集合演算を行う演算手段をさらに実現し、
前記第３のリスト作成手段が、前記演算手段における演算結果から前記第３のリストデータを作成する
ことを特徴とする請求項１に記載の情報処理装置。
【請求項３】
オペレーティングシステム又は印刷装置の制御用ソフトウェアを保持する保持手段をさらに備え、
前記機能拡張プログラムは、前記第２のリスト取得手段により、前記オペレーティングシステム又は前記印刷装置の制御用ソフトウェアの少なくとも一方から得られる情報に基づいて前記第２のリストデータの取得を実現する
ことを特徴とする請求項１に記載の情報処理装置。
【請求項４】
前記機能拡張プログラムは、前記第３のリストデータに基づいて前記印刷装置で実行される印刷処理の各種条件の入力画面のデザインを定義するための印刷画面情報を作成する印刷画面情報作成手段をさらに実現することを特徴とする請求項３に記載の情報処理装置。
【請求項５】
前記第１のリストデータ、前記第２のリストデータ及び前記第３のリストデータには、それぞれ通信可能な印刷装置の機種に関する情報、前記印刷装置で印刷される用紙のサイズに関する情報、前記印刷装置で印刷される用紙の種類に関する情報又は前記印刷装置で印刷される際のレイアウトに関する情報のうち少なくとも１つが列挙されていることを特徴とする請求項１に記載の情報処理装置。
【請求項６】
画面のデザインを定義するための画面情報を受信する画面情報受信ステップと、
前記画面情報に基づき、画面を表示するように制御する画面表示制御ステップと、
外部装置からネットワーク経由で第１のリストデータを受信する第１のリスト受信ステップと、
第２のリストデータを取得する第２のリスト取得ステップと、
前記第１のリストデータと前記第２のリストデータとに基づき第３のリストデータを作成する第３のリスト作成ステップと、
前記第３のリストデータに基づいて定義された画面情報を作成する画面情報作成ステップと
を有することを特徴とする情報処理装置の制御方法。
【請求項７】
画面のデザインを定義するための画面情報を受信する画面情報受信ステップと、
前記画面情報に基づき、画面を表示するように制御する画面表示制御ステップと、
外部装置からネットワーク経由で第１のリストデータを受信する第１のリスト受信ステップと、
第２のリストデータを取得する第２のリスト取得ステップ、前記第１のリストデータと前記第２のリストデータとに基づき第３のリストデータを作成する第３のリスト作成ステップ、及び、前記第３のリストデータに基づいて定義された画面情報を作成する画面情報作成ステップを実現するための機能拡張プログラムを記憶する記憶ステップと
をコンピュータに実行させるためのプログラム。
【請求項８】
前記機能拡張プログラムが、
前記第１のリストデータと前記第２のリストデータとの集合演算を行う演算ステップをさらに実現し、
前記第３のリスト作成ステップでは、前記演算ステップにおける演算結果から前記第３のリストデータを作成する
ことを特徴とする請求項７に記載のプログラム。
【請求項９】
オペレーティングシステム又は印刷装置の制御用ソフトウェアを保持する保持ステップをさらに備え、
前記機能拡張プログラムは、前記第２のリスト取得ステップにより、前記オペレーティングシステム又は前記印刷装置の制御用ソフトウェアの少なくとも一方から得られる情報に基づいて前記第２のリストデータの取得を実現する
ことを特徴とする請求項７に記載のプログラム。
【請求項１０】
前記機能拡張プログラムは、前記第３のリストデータに基づいて前記印刷装置で実行される印刷処理の各種条件の入力画面のデザインを定義するための印刷画面情報を作成する印刷画面情報作成ステップをさらに実現することを特徴とする請求項９に記載のプログラム。
【請求項１１】
前記第１のリストデータ、前記第２のリストデータ及び前記第３のリストデータには、それぞれ通信可能な印刷装置の機種に関する情報、前記印刷装置で印刷される用紙のサイズに関する情報、前記印刷装置で印刷される用紙の種類に関する情報又は前記印刷装置で印刷される際のレイアウトに関する情報のうち少なくとも１つが列挙されていることを特徴とする請求項９に記載のプログラム。
【手続補正３】
【補正対象書類名】明細書
【補正対象項目名】０００１
【補正方法】変更
【補正の内容】
【０００１】
【発明の属する技術分野】
本発明は、ネットワークを介して接続された装置間で好適に情報を処理する情報処理装置及びその制御方法並びにプログラムに関する。
【手続補正４】
【補正対象書類名】明細書
【補正対象項目名】０００４
【補正方法】変更
【補正の内容】
【０００４】
本発明は、このような事情を考慮してなされたものであり、クライアント側のセキュリティを確保することができるとともに、ユーザの利便性を損なわず、サーバのオペレータの意図を反映するとともにサーバの処理にかかる負荷を軽減させることができる情報処理装置及びその制御方法並びにプログラムを提供することを目的とする。
【手続補正５】
【補正対象書類名】明細書
【補正対象項目名】０００５
【補正方法】変更
【補正の内容】
【０００５】
【課題を解決するための手段】
上記課題を解決するために、本発明に係る情報処理装置は、
画面のデザインを定義するための画面情報を受信する画面情報受信手段と、
前記画面情報に基づき、画面を表示するように制御する画面表示制御手段と、
外部装置からネットワーク経由で第１のリストデータを受信する第１のリスト受信手段と、
第２のリストデータを取得する第２のリスト取得手段、前記第１のリストデータと前記第２のリストデータとに基づき第３のリストデータを作成する第３のリスト作成手段、及び、前記第３のリストデータに基づいて定義された画面情報を作成する画面情報作成手段を実現するための機能拡張プログラムを記憶する記憶手段と
を備えることを特徴とする。
【手続補正６】
【補正対象書類名】明細書
【補正対象項目名】０００６
【補正方法】変更
【補正の内容】
【０００６】
また、上記課題を解決するために、本発明に係る情報処理装置の制御方法は、
画面のデザインを定義するための画面情報を受信する画面情報受信ステップと、
前記画面情報に基づき、画面を表示するように制御する画面表示制御ステップと、
外部装置からネットワーク経由で第１のリストデータを受信する第１のリスト受信ステップと、
第２のリストデータを取得する第２のリスト取得ステップと、
前記第１のリストデータと前記第２のリストデータとに基づき第３のリストデータを作成する第３のリスト作成ステップと、
前記第３のリストデータに基づいて定義された画面情報を作成する画面情報作成ステップと
を有することを特徴とする。
【手続補正７】
【補正対象書類名】明細書
【補正対象項目名】０００７
【補正方法】変更
【補正の内容】
【０００７】
さらに、上記課題を解決するために、本発明に係るプログラムは、
画面のデザインを定義するための画面情報を受信する画面情報受信ステップと、
前記画面情報に基づき、画面を表示するように制御する画面表示制御ステップと、
外部装置からネットワーク経由で第１のリストデータを受信する第１のリスト受信ステップと、
第２のリストデータを取得する第２のリスト取得ステップ、前記第１のリストデータと前記第２のリストデータとに基づき第３のリストデータを作成する第３のリスト作成ステップ、及び、前記第３のリストデータに基づいて定義された画面情報を作成する画面情報作成ステップを実現するための機能拡張プログラムを記憶する記憶ステップと
をコンピュータに実行させることを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】